(57)【要約】【課題】状況により異なる台数のマルチ表示システムの設置時において、表示装置の配置の決定に対する使用者の負担を軽減することを目的とする。【解決手段】マルチ表示システムであって、複数の表示装置を有し、複数の表示装置による複数の表示画面が並べて配置されることで得られる一つの統合画面上に、画像データに示される画像を表示するマルチ表示システムにおいて、使用者に複数の表示画面の配置パターンを選択させるために、配置パターンの選択肢を提示する提示手段と、選択された配置パターンに従い、画像データを表示させるよう、複数の表示装置に表示指示を行なう表示指示手段と、を有し、提示手段は、画像データの形状情報と、複数の表示装置の台数と、複数の表示装置の夫々の表示画面の形状情報と、に応じて、統合画面上に画像データを表示する際の表示サイズが大きくなる配置パターンの選択肢を優先して提示することを特徴とした。【選択図】  図９
2019109268.tif 000002
【特許請求の範囲】
【請求項１】
複数の表示装置を有し、前記複数の表示装置による複数の表示画面が並べて配置されることで得られる一つの統合画面上に、画像データに示される画像を表示するマルチ表示システムにおいて、
使用者に前記複数の表示画面の配置パターンを選択させるために、前記配置パターンの選択肢を提示する提示手段と、
選択された前記配置パターンに従い、前記画像データを表示させるよう、前記複数の表示装置に表示指示を行なう表示指示手段と、
を有し、
前記提示手段は、
前記画像データの形状情報と、
前記複数の表示装置の台数と、
前記複数の表示装置の夫々の前記表示画面の形状情報と、
に応じて、前記統合画面上に前記画像データを表示する際の表示サイズが大きくなる配置パターンの選択肢を優先して提示することを特徴としたマルチ表示システム。
【請求項２】
前記画像データの形状情報は、
前記画像データのアスペクト比、若しくは、前記画像データの解像度であることを特徴とした請求項１に記載のマルチ表示システム。
【請求項３】
前記提示手段は、
配置パターン毎に、前記画像データのアスペクト比を保ちながら前記統合画面に収まるよう拡縮した場合の最大サイズを算出し、
前記最大サイズが最大となる配置パターンの選択肢を優先して提示することを特徴とした請求項１または２に記載のマルチ表示システム。
【請求項４】
前記複数の表示画面は、夫々の端部が、隣り合う前記表示画面の反対側の端部と重畳するように配置されることで前記統合画面が形成され、
前記表示指示手段は、
前記画像データのうち当該重畳部分が、当該の隣り合う前記表示装置の何れでも表示されるように、前記部分領域を決定し、
前記提示手段は、
前記画像データの形状情報と、
前記複数の表示装置の台数と、
前記複数の表示装置の夫々の前記表示画面の形状情報と、
前記重畳部分のサイズと、
に応じて、前記統合画面上に前記画像データを表示する際の表示サイズが大きくなる配置パターンの選択肢を優先して提示することを特徴とした請求項１乃至３のいずれか１項に記載のマルチ表示システム。
【請求項５】
複数の表示装置を有し、前記複数の表示装置による複数の表示画面が並べて配置されることで得られる一つの統合画面上に、画像データに示される画像を表示するマルチ表示システムにおける表示装置であって、
使用者に前記複数の表示画面の配置パターンを選択させるための、前記配置パターンの選択肢を提示する提示手段と、
選択された前記配置パターンに従い、前記画像データを表示させるよう、前記複数の表示装置に表示指示を行なう表示指示手段と、
と有し、
前記提示手段は、
前記画像データの形状情報と、
前記複数の表示装置の台数と、
前記複数の表示装置の夫々の前記表示画面の形状情報と、
に応じて、前記統合画面上に前記画像データを表示する際の表示サイズが大きくなる配置パターンの選択肢を優先して提示することを特徴とした表示装置。
【請求項６】
複数の表示装置を有し、前記複数の表示装置による複数の表示画面が並べて配置されることで得られる一つの統合画面上に、画像データに示される画像を表示するマルチ表示システムにおける情報処理装置であって、
使用者に前記複数の表示画面の配置パターンを選択させるための、前記配置パターンの選択肢を提示する提示手段と、
表示すべき画像データの内、少なくとも画像データの形状に関する情報を受信する第一の受信手段と、
前記複数の表示装置の台数に関する情報を受信する第二の受信手段と、
前記複数の表示装置の夫々の前記表示画面の形状情報を受信する第三の受信手段と、
を有し、
前記提示手段は、
前記画像データの形状に関する情報と、
前記複数の表示装置の台数に関する情報と、
前記複数の表示装置の夫々の前記表示画面の形状情報と、
に応じて、前記統合画面上に前記画像データを表示する際の表示サイズが大きくなる配置パターンの選択肢を優先して提示することを特徴とした情報処理装置。
【発明の詳細な説明】
【技術分野】
【０００１】
本発明は、複数の表示装置による複数の表示画面を並べて配置することで単一の大画面を構成するマルチ表示システムに関する。
【背景技術】
【０００２】
フラットパネルディスプレイや、プロジェクタ、スマートフォン等といった表示装置が多く用いられている。これら表示装置の表示画面を例えばマトリクス状に配置することで仮想的な単一の大画面を形成させるマルチ表示システムも多く用いられる。図１を用いて、マルチ表示システムによる大画面表示を説明する。図１（ａ）は、２台のプロジェクタによるマルチ表示システムが投影表示する画面の一例である。
【０００３】
本例のプロジェクタが投影表示する画面の画素数は、夫々横１９２０画素、縦１２００画素である。図１（ａ）では、このような画面がＡ、Ｂの２画面横に並んで表示されており、且つ、Ａ、Ｂ間で２４０画素の重畳領域を有するように構成されている。この重畳領域は、一般的にエッジブレンド領域と呼ばれる。エッジブレンド領域では、同じ画像を、輝度を調整した上で隣り合うプロジェクタで表示し、それらを重ねあわせることにより、スムーズに投影画面が接続できるようにしたものである。この重畳領域のサイズは、プロジェクタの設置条件により、実際には様々なサイズが適用される。
【０００４】
本例では、重畳領域の幅を２４０画素である場合を例に取り、説明を行なう。この画面構成により、単体のプロジェクタでは横１９２０画素、縦１２００画素というサイズであったものが、統合画面では横３６００画素、縦１２００画素という大画面が得られるのである。また、同様に２台のプロジェクタから構成されるマルチ表示システムであっても、図１（ｂ）のように縦に並べる構成も可能である。この場合、統合画面では横１９２０画素、縦２１６０画素というサイズが得られる。また、２台を越える台数のマルチ表示システムも考えられる。
【０００５】
図１（ｃ）〜（ｅ）は、４台のプロジェクタから構成されるマルチ投影システムの例である。４台の構成の場合、４ｘ１、２ｘ２、１ｘ４の配置が取れる。なお、ｎｘｍの表記は横ｎ台、縦ｍ台を示す。以降、この表記で説明を行なう。これらの配置は、夫々図１（ｃ）〜（ｅ）に対応する。
【０００６】
一方、表示装置の画面のアスペクト比と、表示する画像データや映像データ（以下単に画像データと呼称する）のアスペクト比が異なることがある。例えば、図１（ａ）に例示したプロジェクタの投影画面のアスペクト比は単体で１９２０画素／１２００画素＝１６／１０＝１．６０であるが、このプロジェクタに対し、アスペクト比４／３＝１．３３の画像データを表示するケースである。
【０００７】
この場合、画像データのアスペクト比を保ったまま、表示画面に収まるように最大サイズに拡縮することが一般的である。このとき、表示画面に画像データを表示しない領域が生まれるため、黒やグレーで埋められることが多い。この領域を以降黒帯領域と呼称する。表示画面とアスペクト比と、画像データのアスペクト比との差が大きいと、黒帯領域の表示画面に占める割合が多くなるために（言い換えれば、有意な画像が表示される領域の割合が少なくなるために）好ましくない。
【０００８】
マルチ表示システムに対しても、統合画面のアスペクト比と、画像データのアスペクト比との関係は同様である。例えば、図１（ａ）での統合画面のアスペクト比は３６００／１２００＝３．０である。このとき、アスペクト比４／３＝１．３３の画像データを表示する場合、中央の横１６００画素、縦１２００画素の領域に画像データが表示され、残りの斜線部は黒帯領域となる。一方、図１（ｂ）では、統合画面のアスペクト比は１９２０／２１６０＝０．８９である。同様に、アスペクト比４／３＝１．３３の画像データを表示する場合、中央の横１９２０画素、縦１４４０画素の領域に画像データが表示され、残りの斜線部は黒帯領域となる。
【０００９】
図１（ａ）と（ｂ）の例を比較すると、後者の統合画面の方のアスペクト比が画像データのそれと近く、より大きい画像を表示できている（黒帯領域が小さくなっている）。このように、同じ２台のプロジェクタから構成されるマルチ表示システムであっても、画面の配置により、画像データの表示サイズが異なるのである。
【００１０】
従って、マルチ表示システムを構築するには、使用者は、表示すべき画像データの表示がなるべく大きくなるように、表示装置の配置を行なう必要がある。最適配置は、画像データのアスペクト比と表示装置の仕様や、エッジブレンドの値により決定されるため、一般的には、使用者にとって簡単に決定できるものではない。
【００１１】
そのため、マルチ表示システムの配置は、熟練者の経験により決定したり、試行錯誤により決定したり、といった運用されることが多い。このようにマルチ表示システムでは、配置の決定が困難、若しくは、煩雑であるという問題がある。この問題により、例えば、異なる用途であっても、画像データのアスペクト比や、表示装置や、その台数を固定化することで、好ましくないものの毎回固定した配置を用いる運用がされることも多く、十分なマルチ表示システムのメリットが享受できない場合もある。
【００１２】
特許文献１では、使用者による表示モード切り替えボタンの操作や、入力映像信号に規定される映像のアスペクト比に従い、マスター映像およびスレーブ映像を重畳したスタック映像と、マスター映像およびスレーブ映像と並べたワイド映像とを含む複合映像から何れかを選択して適用し、投影表示する技術が開示されている。
【先行技術文献】
【特許文献】
【００１３】
【特許文献１】特開２００６−１６５９４９号公報
【発明の概要】
【発明が解決しようとする課題】
【００１４】
マルチ表示システムでは、使用用途により、求められる画面サイズ、表示輝度が異なる。そのため、マルチ表示システムの構成は、状況により様々であり、２台から数十台以上の構成になることもある。一方、特許文献１で開示されている技術では、状況により構成台数の異なるマルチ表示システムは考慮されていない。
【００１５】
そこで本発明は、状況により異なる台数のマルチ表示システムの設置時において、表示装置の配置の決定に対する使用者の負担を軽減することを目的とする。
【課題を解決するための手段】
【００１６】
このような目的を達成するために、本発明のマルチ表示システムは、（クレーム１）を特徴とする。
【発明の効果】
【００１７】
本発明によれば、マルチ表示システムに於いて、使用者はマルチ表示システムにより、画像データの表示サイズが大きくなる配置を提示されるため、それに従って表示装置の設置をすることができる。
【図面の簡単な説明】
【００１８】
【図１】マルチ表示及びマルチ表示における表示アスペクト比を説明するための図である。
【図２】本発明の実施例１におけるシステムの斜視図である。
【図３】本発明の実施例１における液晶ディスプレイ及びパーソナルコンピュータのブロック図である。
【図４】本発明の実施例１及び実施例２におけるフローを説明するための図である。
【図５】本発明の実施例１及び実施例２における画像データを説明するための図である。
【図６】本発明の実施例１及び実施例２におけるメニュー画像を説明するための図である。
【図７】本発明の実施例１における液晶ディスプレイの配置パターンを説明するための図である。
【図８】本発明の実施例１における液晶ディスプレイのその他の配置パターンを説明するための図である。
【図９】本発明の実施例１及び実施例２におけるメニュー画像を説明するための図である。
【図１０】本発明の実施例２におけるシステムの斜視図である。
【図１１】本発明の実施例２における液晶プロジェクタのブロック図である。
【図１２】本発明の実施例２における液晶プロジェクタの配置パターンを説明するための図である。
【発明を実施するための形態】
【００１９】
以下、図面を参照して本発明の実施例を詳細に説明するが、この発明は以下の実施の形態に限定されるものではない。
【実施例１】
【００２０】
本実施例では、本発明を適用したシステムの説明を行なう。本実施例で説明するシステムは、複数の液晶ディスプレイによるマルチ表示システムの例である。なお、本実施例では表示装置の一例として液晶ディスプレイを用いて説明するが、本発明は、液晶ディスプレイに限定されず、その他の表示デバイスを用いたフロントパネルディスプレイや、プロジェクタ、スマートフォン、タブレットコンピュータ等の表示装置においても適用可能である。
【００２１】
＜全体構成＞
図２を用いて本システムを説明する。図２では、複数台の液晶ディスプレイによるマルチ表示システムを例示しており、大画面表示を行なう前の設置時の様子を示している。
【００２２】
２００ａ〜ｄは、夫々液晶ディスプレイである。本実施例では、液晶ディスプレイの台数ｎ＝４の場合を例にとって説明を行なうが、本発明はそれに限定されない。ｎ≦２であれば本発明は適用可能である。液晶ディスプレイ２００ａ〜ｄは、夫々ケーブル２０１ａ〜ｄによりローカルネットワーク２０４と接続されている。ケーブル２０１としては、例えばイーサネット（登録商標）ケーブルを用いることができる。
【００２３】
２０２は、パーソナルコンピュータである。パーソナルコンピュータ２０２は、ケーブル２０３によりローカルネットワーク２０４と接続されている。ケーブル２０３としては、例えばイーサネット（登録商標）ケーブルを用いることができる。
【００２４】
２０４は、ローカルネットワークである。ローカルネットワーク２０４により、接続された機器は相互に通信可能となっている。ローカルネットワーク２０４としては、接続された機器が相互に通信可能であれば、どのような通信形態でも本発明を適用することができ、例えば、イーサネット（登録商標）や、無線ＬＡＮ、ｂｌｕｅｔｏｏｔｈ（登録商標）を用いることができる。また、ローカルネットワーク２０４として、無線ＬＡＮ、ｂｌｕｅｔｏｏｔｈ（登録商標）といった無線通信を適用する場合は、ケーブル２０１ａ〜ｄ、ケーブル２０３は不要であり、液晶ディスプレイ２００ａ〜ｄ、パーソナルコンピュータ２０２からの無線通信により直接ローカルネットワーク２０４を構成することができる。
【００２５】
図２に示した状態では、未だ液晶ディスプレイ２００ａ〜ｄの設置は完了していない。使用者は液晶ディスプレイ２００ａ〜ｄの配置として、例えば、後述する図７の何れかの配置を決定し、その通りに液晶ディスプレイ２００ａ〜ｄを設置することが必要である。設置が完了すると、液晶ディスプレイ２００ａ〜ｄを結合した統合画面により、大画面表示が可能となる。その際、表示するための画像データは、パーソナルコンピュータ２０２で生成し、液晶ディスプレイ２００ａ〜ｄに供給すればよい。また、液晶ディスプレイ２００ａ〜ｄ夫々が備える画像入力部３００（後述する）に対し、不図示の信号源から画像データを入力することで、それを大画面表示することも可能である。
【００２６】
＜液晶ディスプレイの詳細構成＞
次に、液晶ディスプレイ２００ａ〜ｄの内部のブロック構成を、図３（ａ）を用いて説明する。液晶ディスプレイ２００ａ〜ｄの構成は共通であるので、共通の符号を用いて説明する。
【００２７】
３００は、画像入力部である。画像入力部３００は、制御部３０８の指示に従い、制御部３０８から受信した画像データを後段の回路が処理できる形式に画像データを変換し、画像重畳部３０２に対し出力する。また、画像入力部３００は、制御部３０８の指示に従い、ビデオケーブル３０１を経由して、不図示の外部から映像信号を受信することもできる。この場合も、同様に、映像信号を後段の回路が処理できる形式に画像データを変換し、画像重畳部３０２に対し出力する。
【００２８】
３０２は、画像重畳部である。画像重畳部３０２は、後述する制御部３０８の指示に従い、入力された画像データに、指定された映像を重畳表示することができる。これにより、使用者に操作を促すためのメニュー画像を重畳表示させることもできる。画像重畳部３０２は、処理後の画像データを、後述する画像処理部３０３に出力する。
【００２９】
３０３は、画像処理部である。画像処理部３０３は、入力された画像データに対し、後述する制御部３０８の指示に従い、明るさ補正、黒レベル補正、色毎の強度補正といった画質補正を行なう。画像処理部３０３は、処理後の画像データを、後述するパネル駆動部３０４に出力する。
【００３０】
３０４は、パネル駆動部である。パネル駆動部３０４は、入力された画像データを、階調に対し、後述する液晶パネル３０６での光変調の度合いが線形になるように階調変換する。また、変換後の画像データを、後述する液晶パネル３０６上に像を形成させるための駆動信号に変換し、液晶パネル３０６に出力する。
【００３１】
３０５は、バックライト制御部である。バックライト制御部３０５は、制御部３０８からの指示を受け、バックライト３０７に対し、点灯や消灯、輝度の変更といった制御を行なう。
【００３２】
３０６は、液晶パネルである。液晶パネル３０６上には、パネル駆動部３０４で生成された駆動信号により像が形成される。液晶パネル３０６は、液晶ディスプレイ２００の使用者から観察できるように配置されている。液晶パネル３０６としては、例えば、横１９２０画素、縦１２００画素の２４インチの液晶パネルを用いることができる。以下この例を用いて説明するが、本発明はこの例に限定されない。所定の面上に画像を形成し、使用者が視認できる表示パネルであれば、どのようなパネルであっても本発明に適用できる。
【００３３】
３０７は、バックライトである。バックライト３０７は、液晶パネル３０６の背面から光を照射する。その光が液晶パネル３０６で変調されることにより、液晶ディスプレイ２００の使用者は液晶パネル３０６上の表示を観察ができる。
【００３４】
３０８は、制御部である。制御部３０８は、マイクロコンピュータから構成され、液晶ディスプレイ２００全体を制御する。制御部３０８の動作については後述する。
【００３５】
３０９は、ＲＯＭである。ＲＯＭ３０９は、不揮発性のメモリであり、制御部３０８が動作するためのプログラムコードやデータが格納されている。また、ＲＯＭ３０９は、液晶ディスプレイ２００が動作するために必要なデータを記憶する。
【００３６】
３１０は、ＲＡＭである。ＲＡＭ３１０は、揮発性のメモリであり、制御部３０８が動作するためのワークメモリとして使用される。
【００３７】
３１１は、操作部である。操作部３１１は、使用者からの要求を受け付けるための部材から構成される。操作部３１１には、例えば、使用者から液晶ディスプレイ２００の起動指示、終了指示を受信するための電源釦（不図示）を備える。また、操作部３１１はメニュー操作用の釦を備えることで、制御部３０８は、操作部３１１により使用者からメニュー表示の指示や、そのメニューに対する操作指示を受けることができる。
【００３８】
３１２は、通信部である。通信部３１２により、ケーブル２０１を介して外部機器が通信可能である。制御部３０８は、通信部３１２を介して、パーソナルコンピュータ２０２と通信可能である。
【００３９】
３１３は、バスである。バス３１３を介し、制御部３０８は、画像入力部３００、画像重畳部３０２、画像処理部３０３、パネル駆動部３０４、バックライト制御部３０５、液晶パネル３０６、操作部３１１、ＲＯＭ３０９、ＲＡＭ３１０、通信部３１２と通信可能である。
【００４０】
脚部は、液晶ディスプレイ２００を所定の位置で保持する脚部である。脚部３１４は可動部を有し、使用者は液晶ディスプレイ２００を異なった角度で設置することができる。例えば、液晶パネル３０６が横１９２０画素、縦１２００画素となる角度０度と、横１２００画素、縦１９２０画素となる角度９０度の何れかでの保持が可能となっている。
【００４１】
＜液晶ディスプレイの動作フロー＞
次に、液晶ディスプレイ２００の動作フローを、図４（ａ）を用いて説明する。図４（ａ）は、制御部３０８の動作フローを示す図である。液晶ディスプレイ２００に不図示の電源が供給されると、本フローが開始される。
【００４２】
まず、Ｓ１００にて、制御部３０８は、各部の起動処理を行なう。具体的には、各部に電源を供給するように制御を行ない、画像入力部３００、画像重畳部３０２、画像処理部３０３、パネル駆動部３０４、通信部３１２が動作可能にように設定を行なう。また、制御部３０８は、バックライト制御部３０５にバックライト３０７を発光させるように指示を出し、画像入力部３００に待機状態を示す画像データを出力するように指示を出す。
【００４３】
これにより、液晶パネル３０６による表示が開始されるようになる。また、制御部３０８は、入力設定を指示するためのフラグを初期値１としてＲＡＭ１１１１に記憶する。このフラグは、画像入力部３００が出力すべき画像データが、ビデオケーブル３０１により外部から入力される画像データであるか、制御部３０８が指示する画像データであるかを示すものであり、例示的に、前者を０、後者を１として扱う。
【００４４】
次いで、Ｓ１０１にて、制御部３０８は、前述した入力設定フラグに従って、画像入力部３００に対して設定を行なう。具体的には、フラグが０であれば画像入力部３００に対し外部から入力した画像データを出力するように、フラグ１であれば制御部３０８が指示した画像データを出力するように設定する。
【００４５】
次いで、Ｓ１０２にて、制御部３０８は、使用者若しくは他の機器からの指示があるかを確認する。具体的には、制御部３０８は、操作部３１１に対し使用者の指示がされているか確認し、且つ、通信部３１２に対して他の機器から通信を受信しているかを確認する。それらの確認結果により、次のように処理は分岐される。操作部３１１にて使用者から電源オフの指示がされているか、通信部３１２から他の機器から電源オフの指示がされていると確認された場合、Ｓ１０３に処理は遷移する。
【００４６】
一方、操作部３１１にて使用者から入力設定の指示がされているか、通信部３１２から他の機器から入力設定の指示がされていると確認された場合、Ｓ１０４に処理は遷移する。一方、通信部３１２から他の機器から画像データの表示指示があったと確認された場合、Ｓ１０５に処理は遷移する。一方、通信部３１２から他の機器から機器情報の送信要求があったと確認された場合、Ｓ１０６に処理は遷移する。
【００４７】
Ｓ１０３では、制御部３０８は、各部の終了処理を行なう。具体的には、各部への電源供給を停止するように制御を行なう。その後、本フローは終了する。
【００４８】
Ｓ１０４では、制御部３０８は、入力設定の指示に従い、前述した入力設定フラグを０若しくは１に設定する。その後、Ｓ１０１に処理は遷移する。
【００４９】
Ｓ１０５では、制御部３０８は、画像入力部３００に対し、他の機器から指示された画像データを表示するように指示する。その後、Ｓ１０１に処理は遷移する。
【００５０】
Ｓ１０６では、制御部３０８は、通信部３１２に対し、自機の液晶パネル３０６の水平の画素数（本例では１９２０画素）と、垂直の画素数（本例では１２００画素）とを、要求元の機器に対して送信するように指示する。その後、Ｓ１０１に処理は遷移する。
【００５１】
液晶ディスプレイ２００は、以上のような構成と動作フローにより、ビデオケーブル３０１やローカルネットワーク２０４を経由した他の機器から入力された画像データを表示することができるのである。
【００５２】
＜パーソナルコンピュータの詳細構成＞
次に、パーソナルコンピュータ２０２の内部のブロック構成を、図３（ｂ）を用いて説明する。
【００５３】
３１５は、ビデオコントローラである。ビデオコントローラ３１５ａ〜ｅは、後述するＣＰＵ３１８の指示に従い、後述するＲＡＭ３１９上に格納された画像データを対応する液晶パネルモジュール３１６に出力する。
【００５４】
３１６は、液晶パネルモジュールである。液晶パネルモジュール３１６は、ビデオコントローラ３１５から受信した画像データを受信し、液晶パネルに表示することで、外部から視認可能となり、使用者がパーソナルコンピュータ２０２を操作することが可能となる。
【００５５】
３１７は、ネットワークコントローラである。ＣＰＵ３１８は、ネットワークコントローラ３１７を介して、ケーブル２０３越しにローカルネットワーク２０４に接続された他の機器と通信することができる。
【００５６】
３１８は、ＣＰＵである。ＣＰＵ３１８は、パーソナルコンピュータ２０２全体を制御する。ＣＰＵ３１８の動作については後述する。
【００５７】
３１９は、ＲＡＭである。ＲＡＭ３１９は、揮発性のメモリであり、ＣＰＵ３１８が動作するためのワークメモリとして使用される。また、ＲＡＭ３１９は、ビデオコントローラ３１５により、映像信号を出力するためのフレームバッファとしても使用される。
【００５８】
３２０は、ハードディスクである。ハードディスク３２０は、様々なデータを可能するために用いられる。格納されているデータとしては、ＣＰＵ３１８が動作するためのＯＳ（Ｏｐｅｒａｔｉｎｇ  Ｓｙｓｔｅｍ）、アプリケーションのプログラムコードや、それらを実行する際に用いられるデータ、マルチメディアコンテンツがある。
【００５９】
３２１は、周辺機器コントローラである。周辺機器コントローラ３２１は、様々な周辺機器と接続するために用いられる。周辺機器コントローラ３２１としては、例えばＵＳＢ（Ｕｎｉｖｅｒｓａｌ  Ｓｅｒｉａｌ  Ｂｕｓ）コントローラが適用可能である。本実施例では、周辺機器コントローラ３２１には、内蔵するキーボード３２２、ポインティングデバイス３２３が接続される。
【００６０】
３２２は、キーボードである。キーボード３２２は、使用者がパーソナルコンピュータ２０２を使用する際の操作に用いられる。
【００６１】
３２３は、ポインティングデバイスである。ポインティングデバイス３２３は、使用者がパーソナルコンピュータ２０２を使用する際の操作に用いられる。周辺機器コントローラ３２１としては、例えばマウスや、トラックボール、タッチパッドが適用可能である。
【００６２】
３２４は、バスである。バス３２４を介し、ＣＰＵ３１８は、ビデオコントローラ３１５、ネットワークコントローラ３１７、ＲＡＭ３１９、ハードディスク３２０、周辺機器コントローラ３２１と通信可能である。
【００６３】
＜パーソナルコンピュータの動作フロー＞
パーソナルコンピュータ２０２に不図示の電源が供給されると、ＣＰＵ３１８は各部の起動処理を行なう。その後、ＣＰＵ３１８は、ハードディスク３２０はオペレーティングシステム（ＯＳ）のプログラムコードをＲＡＭ１１１１に展開し、実行する。その後、ＣＰＵ３１８は、使用者からの指示に従って、ハードディスク３２０に格納されたアプリケーションの実行や、マルチメディアデータの再生を行なう。
【００６４】
その際、ＣＰＵ３１８は、表示画像のデータをＲＡＭ３１９に作成し、ビデオコントローラ３１５に表示指示を出す。また、ＣＰＵ３１８は、使用者からハードディスク３２０に保存された画像データやマルチメディアデータを本システムにて大画面表示するよう、キーボード３２２やポインティングデバイス３２３経由で指示を受けることがある。その指示に応じ、ＣＰＵ３１８は、ネットワークコントローラ３１７経由で液晶ディスプレイ２００ａ〜ｄに対し、各液晶ディスプレイが表示すべき画像を当該画像データから切り出し、所定のプロトコルで夫々送信する。このようにして、マルチ表示システムの表示指示が成されるのである。
【００６５】
＜パーソナルコンピュータの特徴的な動作フロー＞
パーソナルコンピュータ２０２における、本発明での特徴的な動作フローを、図４（ｂ）を用いて説明する図４（ｂ）は、ＣＰＵ３１８の動作フローを示す図である。ハードディスク３２０には、本発明での特徴となるアプリケーションのプログラムコードとデータが格納されており、使用者がそのアプリケーションの起動指示をパーソナルコンピュータ２０２に対して行なうと、図４（ｂ）のフローが開始される。
【００６６】
まず、Ｓ２００にて、ＣＰＵ３１８は、マルチ表示システムの表示の対象となる画像データの解析を行なう。ここで、表示対象の画像データは、事前に使用者により、ハードディスク３２０に格納されるものとし、使用者からアプリケーションに対し、その画像データを読み取るためのアドレスを指示しておくものとする。なお、表示対象の画像データの格納はハードディスク３２０以外としても本発明は適用可能である。表示対象の画像データとして、ＣＰＵ３１８が起動中にアクセスできる記憶媒体であれば、どのようなものでも本発明は適用できる。
【００６７】
例えば、周辺機器コントローラ３２１に接続される不図示のＵＳＢメモリや、ローカルネットワーク２０４に接続される不図示のＮＡＳ（Ｎｅｔｗｏｒｋ  Ａｔｔａｃｈｅｄ  Ｓｔｏｒａｇｅ）、ローカルネットワーク２０４に接続される不図示のインターネットに接続される不図示のファイルサーバに画像データを格納してもよい。表示対象の画像データと、その解析結果の例を図５に示す。図５では、Ｎｏ．１〜９に示される９個の画像データが表示対象であることを示している。ＣＰＵ３１８は、各画像データを解析することで、縦画素数と横画素数を判定し、それらから計算されるアスペクト比を算出する。
【００６８】
次いで、Ｓ２０１にて、ＣＰＵ３１８は、マルチ表示システムの表示に用いられる液晶ディスプレイの情報を取得するための処理を行なう。具体的には、ＣＰＵ３１８は、ビデオコントローラ３１５に指示を出すことで、図６（ａ）に示すメニューをビデオコントローラ３１５に表示させ、使用者から液晶ディスプレイの情報を入力させる。図６（ａ）を用いて使用者に提示するメニューについて説明する。
【００６９】
６００は、使用者に対して液晶ディスプレイの情報を入力させることを促すメニューである。メニュー６００は以下の部分からなる。６０１は、マルチ表示システムに用いる液晶ディスプレイの台数を入力する入力欄である。入力欄６０１には例示的に４が入力されているものとする。６０２ａ〜ｄは、夫々液晶ディスプレイ２００ａ〜ｄの情報を入力するための入力部であり、入力欄６０１で入力された数値分の表示がされる。
【００７０】
従って、本例では例示的に入力部６０２ａ〜ｄの４つが表示されている。６０３ａ〜ｄは、夫々対応した液晶ディスプレイ２００のローカルネットワーク２０４上のアドレスを入力するための入力欄である。６０４ａ〜ｄは、夫々対応した液晶ディスプレイ２００の液晶パネルの水平画素数を入力するための入力欄である。６０５ａ〜ｄは、夫々対応した液晶ディスプレイ２００の液晶パネルの垂直画素数を入力するための入力欄である。６０６は、上述の入力が完了したことを使用者に指示させるための釦である。ＣＰＵ３１８は、このようなメニューをビデオコントローラ３１５に表示させ、キーボード３２２、ポインティングデバイス３２３からの操作を受け付けることで、上述の項目で入力される情報を得ることができる。
【００７１】
また、液晶ディスプレイの台数や画素数の情報を得る方法としては、本発明は、このメニューを用いた方法に限定されない。例えば、ＣＰＵは、ネットワークコントローラ３１７経由でローカルネットワーク２０４に接続された機器に対して、液晶ディスプレイ２００の機器情報を送信するよう要求する通信をブロードキャストしてもよい。そうすれば、液晶ディスプレイ２００ａ〜ｄにより、夫々の機器情報の通知が返却され（前述のＳ１０６）、ＣＰＵ３１８はメニューで取得した情報と同等の情報を得ることができる。
【００７２】
次いで、Ｓ２０２にて、ＣＰＵ３１８は、Ｓ２００での画像データの解析結果と、Ｓ２０１で取得した液晶ディスプレイの情報とを用いて、液晶ディスプレイの推奨配置を算出する。以下、ＣＰＵ３１８による算出方法について説明する。まず、ＣＰＵ３１８は、Ｓ２０３で取得した液晶ディスプレイの台数から、マルチ表示システムの液晶ディスプレイの配置パターンを列挙する。配置パターンの列挙のための方法の一つとしては、計算による方法がある。これは前述の台数を素因数分解し、各素因数を縦と横に振り分ける組み合わせを全て挙げる方法である。例えば、台数ｎ＝６である場合、素因数は、２、３であり、組み合わせは以下の４パターンとなる。
【００７３】
パターン１）横なし（＝１）、縦２と３  ．．．横１台、縦６台
パターン２）横２、縦３                ．．．横２台、縦３台
パターン３）横３、縦２                ．．．横３台、縦２台
パターン４）横２と３、縦なし（＝１）  ．．．横６台、縦１台
本例では、台数ｎ＝４なので、素因数は２、２であり、組み合わせは以下の３パターンである。
【００７４】
パターン１）横なし（＝１）、縦２と２  ．．．横１台、縦４台
パターン２）横２、縦２                ．．．横２台、縦２台
パターン３）横２と２、縦なし（＝１）  ．．．横４台、縦１台
更に、液晶ディスプレイが９０度回転しての設置が可能であれば、回転有無によって、更に９０度回転を加えてパターンを挙げてもよい。
【００７５】
続いて、制御部３０８は、列挙した配置パターンについて、統合したマルチ表示時の水平画素数、垂直画素数、アスペクト比を算出する。図７に列挙した配置パターンと、対応する算出結果の例を示す。図７は台数ｎ＝４の場合の例である。Ｎｏ．１〜３が前述のパターン１〜３の配置を示し、Ｎｏ．４〜６が９０度回転させて設置した場合のパターンである。統合したマルチ表示時の水平画素数、垂直画素数、アスペクト比の具体的な算出方法について説明する。
【００７６】
各液晶ディスプレイの水平画素数、垂直画素数を夫々合算したものがマルチ表示時の水平画素数、垂直画素数となる。例えば、Ｎｏ．１では、１９２０画素の液晶ディスプレイの横４台配置であるため、マルチ表示時の水平画素数は  １９２０画素ｘ４台＝７６８０画素  となる。同様に、Ｎｏ．１では、１２００画素の液晶ディスプレイの縦１台配置であるため、マルチ表示時の垂直画素数は  １２００画素ｘ１台＝１２００画素  となる。また、水平画素数を垂直画素数で割ったものがアスペクト比となる。例えば、Ｎｏ．１では、マルチ表示時のアスペクト比は７６８０画素／１２００画素＝６．４０となる。
【００７７】
このように列挙したパターンから、ＣＰＵ３１８は、使用者推奨するパターンを算出する。本発明では、様々な算出方法を適用できるため、複数の例について説明する。
【００７８】
第一の例として、表示画像データの平均アスペクト比に最も近いアスペクト比を有する配置パターンを選出する方法がある。例えば、図５の画像データでは平均アスペクト比は１．３２であるので、図７のパターンの中では最も近いのは、Ｎｏ．２のアスペクト比１．６０であり、２ｘ２の配置が算出される。
【００７９】
第二の例として、表示画像データの最多アスペクト比に最も近いアスペクト比を有する配置パターンを選出する方法がある。例えば、図５の画像データでは最多アスペクト比は１．００であるので、図７のパターンの中では最も近いのは、Ｎｏ．５のアスペクト比０．６３であり、２ｘ２（９０度回転）の配置が算出される。
【００８０】
第三の例として、表示画像データをマルチ画面に表示した際の黒帯の面積の総和が最も少ない配置パターンを選出する方法がある。例えば、図５のＮｏ．１の画像データの画素数は横１０２４画素、縦７２８画素を、図７のＮｏ．１の４ｘ１の配置でのマルチ画面に表示する場合を考える。画像データを、アスペクト比を保持したまま、マルチ画面上において最大サイズで表示するために拡縮すると、横１６００画素、縦１２００画素となる。この場合、総画素数が水平７６８０画素、垂直１２００画素のマルチ画面で表示しようとすると、水平方向に６０８０画素（＝７６８０画素−１６００画素）の、画像データの不足が生じる。
【００８１】
画像データを中央に表示する場合には、左右に夫々３０４０画素（＝６０８０画素／２）の黒帯が必要になる。従って、この例での黒帯の面積は、６０８０画素×１２００画素＝７２９６０００画素となる。一つの配置パターンについて、全画像データの黒帯面積を求めて総和を取ることで、各配置パターンでの黒帯面積の総和の比較が可能となる。このようにして、黒帯面積の総和が最小の配置パターンを選ぶことができる。本例では、黒帯面積の総和が最も少ないのは、Ｎｏ．２であり、２ｘ２の配置が算出される。また、本発明は、拡縮の方法に限定されない。例えば、拡大をしないドットバイドット方式であっても、画像データの不足している黒帯を計算できる。
【００８２】
また、ドットバイドットの場合は、画像データのサイズがマルチ画面のサイズを越える場合があるが、その場合のみ縮小することで、若しくは、はみ出した部分の面積を黒帯の面積と合算することで、同様に配置パターンを算出できる。
【００８３】
これら第一から第三の例を示したが、他の方法の算出方法も適用できる。即ち、画像データの形状情報と、表示するマルチ画面の形状情報を用いて、実際の画像データの表示サイズ（若しくは表示できない表示面積）を評価する方法であれば、本発明は同様に適用可能である。
【００８４】
また、以上、マルチ画面が矩形になるケースを説明したが、本発明はこれに限定されない。図８（ａ）〜（ｊ）に示すような非矩形のパターンを予め、ハードディスク３２０に格納しておことで、非矩形のパターンであっても本発明を適用することができる。非矩形の場合は、１つのパターンについて、適するアスペクト比が２通り得られる。例えば、図８（ａ）では、ＡＲ１＝１９２０／３６００＝０．５３、ＡＲ２＝３８４０／１２００＝３．２０の２つのアスペクト比が得られる。夫々のアスペクト比について、上述の算出方法を適用すれば、本発明を実施することができる。
【００８５】
次いで、Ｓ２０３にて、ＣＰＵ３１８は、使用者に液晶ディスプレイの配置候補の選択肢を提示する。具体的には、ＣＰＵ３１８は、ビデオコントローラ３１５に指示を出し、例えば、図９（ａ）に示すメニューを表示させる。図９（ａ）を用いて、使用者に提示するメニューについて説明する。９００は、使用者に対して液晶ディスプレイの配置候補を提示し、選択させるためのメニューである。
【００８６】
９０１は、図７のＮｏ．１の配置を使用者に提示するための表示である。９０２は、図７のＮｏ．１の配置を使用者が選択する際のラジオボタン９０２である。９０３は、図７のＮｏ．２の配置を使用者に提示するための表示である。９０４は、図７のＮｏ．２の配置を使用者が選択する際のラジオボタン９０４である。９０５は、図７のＮｏ．３の配置を使用者に提示するための表示である。９０６は、図７のＮｏ．３の配置を使用者が選択する際のラジオボタン９０６である。９０７は、図７のＮｏ．４の配置を使用者に提示するための表示である。９０８は、図７のＮｏ．４の配置を使用者が選択する際のラジオボタン９０８である。
【００８７】
９０９は、図７のＮｏ．５の配置を使用者に提示するための表示である。９１０は、図７のＮｏ．５の配置を使用者が選択する際のラジオボタン９１０である。９１１は、図７のＮｏ．６の配置を使用者に提示するための表示である。９１２は、図７のＮｏ．６の配置を使用者が選択する際のラジオボタン９０６である。また、パターン９０１、パターン９０３、パターン９０５、パターン９０７、パターン９０９、パターン９１１について、画像データの表示領域の範囲を示す範囲を行なってもよい。ここでは、斜線部で最も数の多いアスペクト比を有する画像データを表示した場合の黒帯部を斜線部で表示する例を示している。９１３は、上述の選択が完了したことを使用者に通知させるための釦である。
【００８８】
ここで、ＣＰＵ３１８は、Ｓ２０２で算出した推奨配置について、推奨である旨の表示を行なう。本例では、ラジオボタン９０４に、推奨表示部９１４として「推奨」という文字列を付加して表示している。本発明は、推奨である旨の表示方法に限定されない。例えば、推奨である配置に対応するラジオボタンの初期値を選択済みにする方法でもよい。また、選択肢をソーティングし、推奨である配置のパターンとラジオボタンを先頭に配置する方法を用いてもよい。また、Ｓ２０２で推奨する配置を複数用意し、Ｓ２０３で複数の選択肢を推奨して使用者に提示してもよい。
【００８９】
次いで、Ｓ２０４にて、ＣＰＵ３１８は、使用者がＳ２０３で選択した配置を、確認のため、使用者に提示する。具体的には、ＣＰＵ３１８は、ビデオコントローラ３１５に指示を出し、例えば、図９（ｂ）に示すメニューを表示させる。図９（ａ）を用いて、使用者に提示するメニューについて説明する。９１５は、使用者にＳ２０３で選択した配置を再度提示するためのメニューである。パターンは、使用者がＳ２０１で選択した配置を示すパターンである。メニュー９１５には、「液晶ディスプレイの配置を行なってください」との文言が表示されている。
【００９０】
９１７は、使用者がパターン９１６の配置が、設置環境等の問題で困難であった場合に、再度設置パターンを選択することを指示するための釦である。９１８は、上述の選択が完了したことを使用者に通知させるための釦である。なお、ここでＣＰＵ３１８は、パターン９１６の配置を構成する各画面に、例えば、Ａ〜Ｄといった画面を区別するための符号を表示するようにしても良い。加えて、これらの符号を画像データに変換して、液晶ディスプレイ２００ａ〜ｄに送信し、表示させてもよい。これにより、使用者はメニュー９１５のパターン９１６の表示（図９（ｂ）参照）と、液晶ディスプレイ２００ａ〜ｄの表示（図２参照）とに、夫々対応した符号が表示される。これにより、設置の煩雑さが低減される。
【００９１】
更に、選択された配置が９０度回転した配置（図７のＮｏ．４〜６の配置）であった場合には、当該画像データを９０度回転してから液晶ディスプレイ２００ａ〜ｄに送信し、表示させてもよい。これにより、液晶ディスプレイ２００を回転して設置する配置の際に、回転すべきことが容易に判別でき、更に設置の煩雑さが低減される。
【００９２】
次いで、Ｓ２０５にて、ＣＰＵ３１８は、使用者によるメニュー９１５に対する操作を判別する。使用者により釦９１７が押下されたと判別された場合には、処理はＳ２０３に遷移する。使用者により釦９１８が押下されたと判別された場合には、処理はＳ２０６に遷移する。
【００９３】
次いで、Ｓ２０６にて、ＣＰＵ３１８は、前述の表示すべき画像データに対し、マルチ表示を構築するように、各液晶ディスプレイ２００ａ〜ｄが担当する部分を切り出し、ネットワークコントローラ３１７を介して液晶ディスプレイ２００ａ〜ｄに送信し、表示指示を行なう。また、複数の画像データがある場合は、使用者によりキーボード３２２やポインティングデバイス３２３による表示画像データの指定を受け、それに基づき、順次画像データを処理していく。また、このような画像データの処理が完了すると、本フローは完了する。
【００９４】
以上のようなシステムにより、メニュー９００により、パーソナルコンピュータ２０２は使用者に対して、推奨の液晶ディスプレイの配置を提示することができる。この推奨配置は、Ｓ２０２の算出方法により決定しているため、実際の表示サイズが大きくなるような配置となっている。そのため、使用者は、画像データや表示装置の条件を検討し配置を決定するのではなく、提示された選択肢から配置を決定することでマルチ表示の設定を行なうことができる。それにより、使用者の負担は軽減される。
【００９５】
請求項１記載のマルチ表示システムは、液晶ディスプレイ２００ａ〜ｄ、パーソナルコンピュータ２０２から構成されるシステムに相当する。
【００９６】
請求項１、６記載の表示装置は、液晶ディスプレイ２００ａ〜ｄの夫々に相当する。
【００９７】
請求項１、６記載の提示手段は、ＣＰＵ３１８及びビデオコントローラ３１５の表示するメニュー９００に相当する。
【００９８】
請求項１記載の表示指示手段は、ＣＰＵ３１８及びネットワークコントローラ３１７に相当する。
【００９９】
請求項６記載の情報処理装置は、パーソナルコンピュータ２０２に相当する。
【０１００】
請求項６記載の第一の受信手段は、ＣＰＵ３１８に相当する。
【０１０１】
請求項６記載の第二の受信手段は、ネットワークコントローラ３１７に相当する。
【０１０２】
請求項６記載の第三の受信手段は、ネットワークコントローラ３１７に相当する。
【０１０３】
なお、本実施例では、パーソナルコンピュータ２０２により、推奨配置を提示する形態について説明したが、本発明はそれに限定されない。表示装置と通信でき、画像データを解析可能であり、使用者に配置を提示できる手段があれば、どのような機器であっても、パーソナルコンピュータ２０２を代替することができる。例えば、パーソナルコンピュータ２０２の代わりに、タブレットコンピュータやスマートフォン、プロジェクタ、ディスプレイ、ＡＶアンプ、ハードディスクレコーダであってもよい。
【０１０４】
［実施例２］
続いて、本実施例では、本発明を適用したシステムの説明を行なう。本実施例で説明するシステムは、複数の液晶プロジェクタによるマルチ表示システムの例である。実施例１と共通する部分については、実施例１との差分を中心に説明を行なう。
【０１０５】
＜全体構成＞
図１０を用いて本システムを説明する。図１０では、複数台の液晶プロジェクタによるマルチ表示システムを例示しており、大画面表示を行なう前の設置時の様子を示している。
【０１０６】
１０００ａ〜ｄは、夫々液晶プロジェクタである。本実施例では、液晶プロジェクタの台数ｎ＝４の場合を例にとって説明を行なうが、本発明はそれに限定されない。ｎ≦２であれば本発明は適用可能である。液晶プロジェクタ１０００ａ〜ｄは、アクセスポイント１００４経由で相互に無線通信が通信可能である。液晶プロジェクタ１０００ａ〜ｄは、夫々ＵＳＢポート１１１４ａ〜ｄを有しており、例えば、ＵＳＢメモリ１００１といったＵＳＢデバイスを接続することが可能である。ＵＳＢポート１１１４ａ〜ｄに関しての詳細は後述する。
【０１０７】
１００１は、ＵＳＢメモリである。本例では、例示的に、液晶プロジェクタ１０００ａに接続されている。詳細は後述する。
【０１０８】
１００２ａ〜ｄは、夫々液晶プロジェクタが投射表示を行なうためのスクリーンである。
【０１０９】
１００４は、アクセスポイントである。アクセスポイント１００４は、無線ＬＡＮ（Ｌｏｃａｌ  Ａｒｅａ  Ｎｅｔｗｏｒｋ）の親機であり、子機である液晶プロジェクタ１０００ａ〜ｄと通信可能となっている。無線ＬＡＮとしては、例えば、ＩＥＥＥ８０２．１１ａ／ｂ／ｇ／ｎ／ａｃを適用することができる。
【０１１０】
図１０に示した状態では、未だ液晶プロジェクタ１０００ａ〜ｄの設置は完了していない。使用者は液晶プロジェクタ１０００ａ〜ｄの配置として、例えば、後述する図１１の何れかの配置を決定し、その通りに液晶プロジェクタ１０００ａ〜ｄを設置することが必要である。設置が完了すると、液晶プロジェクタ１０００ａ〜ｄによるスクリーン１００２ａ〜ｄに対する夫々の投影画面を結合した統合画面により、大画面表示が可能となる。
【０１１１】
その際、表示するための画像データは、ＵＳＢメモリ１００１の接続された液晶プロジェクタが生成し、生成した画像データを液晶プロジェクタ１０００ａ〜ｄに供給すればよい。また、液晶プロジェクタ１０００ａ〜ｄ夫々が備える画像入力部１１００（後述する）に対し、不図示の信号源から画像データを入力することで、それを大画面表示することも可能である。
【０１１２】
＜液晶プロジェクタの詳細構成＞
次に、液晶プロジェクタ１０００ａ〜ｄの内部のブロック構成を、図１１を用いて説明する。液晶プロジェクタ１０００ａ〜ｄの構成は共通であるので、共通の符号を用いて説明する。
【０１１３】
１１００は、画像入力部である。画像入力部１１００は、制御部１１０９の指示に従い、制御部１１０９から受信した画像データを後段の回路が処理できる形式に画像データを変換し、画像重畳部１１０２に対し出力する。また、画像入力部１１００は、制御部１１０９の指示に従い、ビデオケーブル１１０１を経由して、不図示の外部から映像信号を受信することもできる。この場合も、同様に、映像信号を後段の回路が処理できる形式に画像データを変換し、画像重畳部１１０２に対し出力する。
【０１１４】
１１０２は、画像重畳部である。画像重畳部１１０２は、後述する制御部１１０９の指示に従い、入力された画像データに、指定された映像を重畳表示することができる。これにより、使用者に操作を促すためのメニュー画像を重畳表示させることもできる。画像重畳部１１０２は、処理後の画像データを、後述する画像処理部１１０３に出力する。
【０１１５】
１１０３は、画像処理部である。画像処理部１１０３は、入力された画像データに対し、後述する制御部１１０９の指示に従い、明るさ補正、黒レベル補正、色毎の強度補正といった画質補正を行なう。また、画像処理部１１０３は、制御部１１０９の指示に従い、エッジブレンド部の領域の輝度調整を行なう。画像処理部１１０３は、処理後の画像データを、後述するパネル駆動部１１０４に出力する。
【０１１６】
１１０４は、パネル駆動部である。パネル駆動部１１０４は、入力された映像データを、階調に対し、パネルでの光変調の度合いが線形になるように階調変換する。また、変換後の映像データを、後述する液晶パネル１１０７上に像を形成させるための駆動信号に変換し、液晶パネル１１０７に出力する。
【０１１７】
１１０５は、光源制御部である。光源制御部１１０５は、制御部１１０９からの指示を受け、光源１１０８に対し、点灯や消灯、輝度の変更といった制御を行なう。
【０１１８】
１１０６は、光学系である。光学系１１０６は、光源１１０８や、液晶パネル１１０７、照明光学系や、投射光学系を含む。光学系１１０６により、光源１１０８からの光が液晶パネル１１０７で変調されて液晶プロジェクタ１０００外部に投射され、スクリーン１００２として映像が表示される。
【０１１９】
１１０７は、液晶パネルである。液晶パネル１１０７上には、パネル駆動部１１０４で生成された駆動信号により像が形成される。液晶パネル１１０７としては、例えば、横１９２０画素、縦１２００画素の２４インチの反射型液晶パネルを用いることができる。以下この例を用いて説明するが、本発明はこの例に限定されない。所定の面上に画像を形成し、使用者が視認できる表示パネルであれば、どのようなパネルであっても本発明に適用できる。液晶パネル１１０７としては、透過型液晶パネルや、マイクロミラーパネルを用いることができる。
【０１２０】
１１０８は、光源である。光源１１０８には、高圧水銀ランプやハロゲンランプ、レーザ光源を用いることができる。
【０１２１】
１１０９は、制御部である。制御部１１０９は、マイクロコンピュータから構成され、液晶プロジェクタ１０００全体を制御する。制御部１１０９の動作については後述する。
【０１２２】
１１１０は、ＲＯＭである。ＲＯＭ１１１０は、不揮発性のメモリであり、制御部１１０９が動作するためのプログラムコードやデータが格納されている。また、ＲＯＭ１１１０は、液晶プロジェクタ１０００が動作するために必要なデータを記憶する。
【０１２３】
１１１１は、ＲＡＭである。ＲＡＭ１１１１は、揮発性のメモリであり、制御部１１０９が動作するためのワークメモリとして使用される。
【０１２４】
１１１２は、操作部である。操作部１１１２は、使用者からの要求を受け付けるための部材から構成される。操作部１１１２には、例えば、使用者から液晶プロジェクタ１０００の起動指示、終了指示を受信するための電源釦（不図示）を備える。また、操作部１１１２はメニュー操作用の釦を備えることで、制御部１１０９は、操作部１１１２により使用者からメニュー表示の指示や、そのメニューに対する操作指示を受けることができる。それにより、例えば、使用者から起動やシャットダウンの指示、エッジブレンド部の領域の幅や輝度調整の調整値を入力させることが可能である。
【０１２５】
１１１３は、無線通信部である。無線通信部１１１３により、アクセスポイント１００４を介して外部機器が無線通信可能である。制御部１１０９は、無線通信部１１１３を介して、パーソナルコンピュータ２０２と通信可能である。
【０１２６】
１１１４は、ＵＳＢポートである。ＵＳＢポート１１１４により、制御部１１０９はＵＳＢポート１１１４に接続された外部デバイスと通信可能である。
【０１２７】
１１１５は、バスである。バス１１１５を介し、制御部１１０９は、画像入力部１１００、画像重畳部１１０２、画像処理部１１０３、パネル駆動部１１０４、光源制御部１１０５、液晶パネル１１０７、操作部１１１２、ＲＯＭ１１１０、ＲＡＭ１１１１、無線通信部１１１３、ＵＳＢポート１１１４と通信可能である。
【０１２８】
＜液晶プロジェクタの動作フロー＞
次に、液晶プロジェクタ１０００の動作フローを、図４を用いて説明する図４（ｃ）。は、制御部１１０９の動作フローを示す図である。液晶プロジェクタ１０００に不図示の電源が供給されると、本フローが開始される。
【０１２９】
まず、Ｓ３００にて、制御部１１０９は、各部の起動処理を行なう。具体的には、各部に電源を供給するように制御を行ない、画像入力部１１００、画像重畳部１１０２、画像処理部１１０３、パネル駆動部１１０４、無線通信部１１１３、ＵＳＢポート１１１４が動作可能にように設定を行なう。また、制御部１１０９は、光源制御部１１０５に光源１１０８を発光させるように指示を出し、画像入力部１１００に待機状態を示す画像データを出力するように指示を出す。これにより、液晶パネル１１０７による表示が開始されるようになる。
【０１３０】
次いで、Ｓ３０１にて、制御部１１０９は、ＵＳＢポート１１１４に問い合わせを行ない、ＵＳＢメモリが接続されているか否かを判定する。ＵＳＢメモリが接続されていなければＳ３０２に、接続されていればＳ３０３に処理は遷移する。
【０１３１】
Ｓ３０１でＵＳＢメモリが接続されていないと、Ｓ３０２にて、制御部１１０９は他の液晶プロジェクタから画像データを受信し、投影を行なうスレーブ処理の制御を開始する。以下、このスレーブ処理の詳細について説明する。
【０１３２】
制御部１１０９によるスレーブ処理のフローは実施例１の制御部３０８のフローである図４（ａ）と類似している。そこで、図４（ａ）のフロー図を用いて説明を行ない、実施例１の制御部３０８によるフローから変形される部分について説明を行なう。
【０１３３】
Ｓ１００を次のように改変する。Ｓ１００にて、制御部１１０９は、入力設定を指示するためのフラグを初期値１としてＲＡＭ１１１１に記憶する。このフラグは、画像入力部１１００が出力すべき画像データが、ビデオケーブル１１０１により外部から入力される画像データであるか、制御部１１０９が指示する画像データであるかを示すものであり、例示的に、前者を０、後者を１として扱う。
【０１３４】
Ｓ１０１を次のように改変する。Ｓ１０１にて、制御部１１０９は、前述した入力設定フラグに従って、画像入力部１１００に対して設定を行なう。具体的には、フラグが０であれば画像入力部１１００に対し外部から入力した画像データを出力するように、フラグ１であれば制御部１１０９が指示した画像データを出力するように設定する。
【０１３５】
Ｓ１０２を次のように改変する。Ｓ１０２にて、制御部１１０９は、使用者若しくは他の機器からの指示があるかを確認する。具体的には、制御部１１０９は、操作部１１１２に対し使用者の指示がされているか確認し、且つ、無線通信部１１１３に対して他の機器から通信を受信しているかを確認する。それらの確認結果により、次のように処理は分岐される。操作部１１１２にて使用者から電源オフの指示がされているか、無線通信部１１１３から他の機器から電源オフの指示がされていると確認された場合、Ｓ１０３に処理は遷移する。
【０１３６】
一方、操作部１１１２にて使用者から入力設定の指示がされているか、無線通信部１１１３から他の機器から入力設定の指示がされていると確認された場合、Ｓ１０４に処理は遷移する。一方、無線通信部１１１３から他の機器から画像データの表示指示があったと確認された場合、Ｓ１０５に処理は遷移する。一方、無線通信部１１１３から他の機器から機器情報の送信要求があったと確認された場合、Ｓ１０６に処理は遷移する。
【０１３７】
Ｓ１０３を次のように改変する。Ｓ１０３では、制御部１１０９は、処理は行なわない。処理はＳ３０４に遷移する。
【０１３８】
Ｓ１０４を次のように改変する。Ｓ１０４では、制御部１１０９は、入力設定の指示に従い、前述した入力設定フラグを０若しくは１に設定する。その後、Ｓ１０１に処理は遷移する。
【０１３９】
Ｓ１０５を次のように改変する。Ｓ１０５では、制御部１１０９は、画像入力部１１００に対し、他の機器から指示された画像データを表示するように指示する。その後、Ｓ１０１に処理は遷移する。
【０１４０】
Ｓ１０６を次のように改変する。Ｓ１０６では、制御部１１０９は、無線通信部１１１３に対し、自機の液晶パネル１１０７の水平の画素数（本例では１９２０画素）と、垂直の画素数（本例では１２００画素）と、エッジブレンド幅（本例では２４０画素）を、要求元の機器に対して送信するように指示する。その後、Ｓ１０１に処理は遷移する。
【０１４１】
液晶プロジェクタ１０００は、以上のような構成とスレーブ処理の動作フローにより、ビデオケーブル１１０１やローカルネットワーク２０４を経由した他の機器から入力された画像データを表示することができるのである。
【０１４２】
一方、Ｓ３０１でＵＳＢメモリが接続されていると、Ｓ３０３にて、制御部１１０９は他の液晶プロジェクタに画像データを送信し、投影を行なわせると共に自機でも表示を行なうマスター処理の制御を開始する。以下、このマスター処理の詳細について説明する。なお、本例では、ＵＳＢポート１１１４にＵＳＢメモリ１００１が接続されているものとして説明を行なう。
【０１４３】
制御部１１０９によるマスター処理のフローは実施例１のＣＰＵ３１８のフローである図４（ｂ）と類似している。そこで、図４（ｂ）のフロー図を用いて説明を行ない、実施例１のＣＰＵ３１８によるフローから変形される部分について説明を行なう。
【０１４４】
Ｓ２００を次のように改変する。Ｓ２００にて、制御部１１０９は、マルチ表示システムの表示の対象となる画像データの解析を行なう。ここで、表示対象の画像データは、事前に使用者により、ＵＳＢメモリ１００１に格納されるものとする。制御部１１０９は、ＵＳＢポート１１１４経由でＵＳＢメモリ１００１に格納された画像データを読み取ることができる。
【０１４５】
なお、表示対象の画像データの格納はＵＳＢメモリ１００１以外としても本発明は適用可能である。表示対象の画像データとして、制御部１１０９が起動中にアクセスできる記憶媒体であれば、どのようなものでも本発明は適用できる。例えば、アクセスポイント１００４に接続される不図示のＮＡＳ（Ｎｅｔｗｏｒｋ  Ａｔｔａｃｈｅｄ  Ｓｔｏｒａｇｅ）、アクセスポイント１００４に接続される不図示のインターネットに接続される不図示のファイルサーバに画像データを格納してもよい。
【０１４６】
表示対象の画像データと、その解析結果の例は、実施例と同様であり、図５に示される。制御部１１０９は、各画像データを解析することで、縦画素数と横画素数を判定し、それらから計算されるアスペクト比を算出する。
【０１４７】
Ｓ２０１を次のように改変する。Ｓ２０１にて、制御部１１０９は、マルチ表示システムの表示に用いられる液晶プロジェクタの情報を取得するための処理を行なう。具体的には、制御部１１０９は、画像重畳部１１０２に指示を出すことで、図６（ａ）に示すメニューを液晶パネル１１０７に表示させ、使用者から液晶ディスプレイの情報を入力させる。図６（ｂ）を用いて使用者に提示するメニューについて説明する。６０７は、使用者に対して液晶プロジェクタの情報を入力させることを促すメニューである。メニュー６０７は以下の部分からなる。
【０１４８】
６０８は、マルチ表示システムに用いる液晶プロジェクタの台数を入力する入力欄である。入力欄６０８には例示的に４が入力されているものとする。６０９ａ〜ｄは、夫々液晶プロジェクタ１０００ａ〜ｄの情報を入力するための入力部であり、入力欄６０８で入力された数値分の表示がされる。従って、本例では例示的に入力部６０９ａ〜ｄの４つが表示されている。６１０ａ〜ｄは、夫々対応した液晶プロジェクタ１０００の無線ネットワーク上のアドレスを入力するための入力欄である。６１１ａ〜ｄは、夫々対応した液晶プロジェクタ１０００の液晶パネルの水平画素数を入力するための入力欄である。６１２ａ〜ｄは、夫々対応した液晶プロジェクタ１０００の液晶パネルの垂直画素数を入力するための入力欄である。
【０１４９】
６１３ａ〜ｄは、夫々対応した液晶プロジェクタ１０００のエッジブレンド幅を入力するための入力欄である。６１４は、上述の入力が完了したことを使用者に指示させるための釦である。制御部１１０９は、このようなメニューを液晶パネル１１０７に表示させ、操作部１１１２からの操作を受け付けることで、上述の項目で入力される情報を得ることができる。
【０１５０】
また、液晶プロジェクタの台数や画素数の情報を得る方法としては、本発明は、このメニューを用いた方法に限定されない。例えば、制御部は、無線通信部１１１３経由でアクセスポイント１００４に接続された機器に対して、液晶プロジェクタの機器情報を送信するよう要求する通信をブロードキャストしてもよい。そうすれば、液晶プロジェクタ１０００ａ〜ｄにより、夫々の機器情報の通知が返却され（前述のＳ１０６）、制御部１１０９はメニューで取得した情報と同等の情報を得ることができる。
【０１５１】
Ｓ２０２を次のように改変する。Ｓ２０２にて、制御部１１０９は、Ｓ２００での画像データの解析結果と、Ｓ２０１で取得した液晶プロジェクタの情報とを用いて、液晶プロジェクタの推奨配置を算出する。以下、制御部１１０９による算出方法について説明する。まず、制御部１１０９は、Ｓ２０３で取得した液晶プロジェクタの台数から、マルチ表示システムの液晶プロジェクタの配置パターンを列挙する。この列挙方法は実施例１と同様であるので説明は省略する。
【０１５２】
続いて、制御部１１０９は、列挙した配置パターンについて、統合したマルチ表示時の水平画素数、垂直画素数、アスペクト比を算出する。図１２に列挙した配置パターンと、対応する算出結果の例を示す。図１２は台数ｎ＝４の場合の例である。Ｎｏ．１〜３が前述のパターン１〜３の配置を示し、Ｎｏ．４〜６が９０度回転させて設置した場合のパターンである。統合したマルチ表示時の水平画素数、垂直画素数、アスペクト比の具体的な算出方法について説明する。各液晶プロジェクタの水平画素数、垂直画素数を夫々合算し、隣り合う液晶プロジェクタの表示画像で重畳するエッジブレンド領域の幅の合算値を引いたものがマルチ表示時の水平画素数、垂直画素数となる。
【０１５３】
例えば、Ｎｏ．１では、１９２０画素の液晶ディスプレイの横４台配置であり、エッジブレンド幅が２４０画素である。そのため、マルチ表示時の水平画素数は  １９２０画素ｘ４台−２４０画素ｘ３箇所＝６９６０画素  となる。同様に、Ｎｏ．１では、１２００画素の液晶プロジェクタの縦１台配置であり、エッジブレンド幅が２４０画素である。そのため、マルチ表示時の垂直画素数は  １２００画素ｘ１台−２４０画素ｘ０箇所＝１２００画素  となる。また、水平画素数を垂直画素数で割ったものがアスペクト比となる。例えば、Ｎｏ．１では、マルチ表示時のアスペクト比は６９６０画素／１２００画素＝５．８０となる。
【０１５４】
このように列挙したパターンから、制御部１１０９は、使用者推奨するパターンを算出する。本発明では、様々な算出方法を適用できるため、複数の例について説明する。
【０１５５】
第一の例として、表示画像データの平均アスペクト比に最も近いアスペクト比を有する配置パターンを選出する方法がある。例えば、図５の画像データでは平均アスペクト比は１．３２であるので、図１２のパターンの中では最も近いのは、Ｎｏ．２のアスペクト比１．６７であり、２ｘ２の配置が算出される。
【０１５６】
第二の例として、表示画像データの最多アスペクト比に最も近いアスペクト比を有する配置パターンを選出する方法がある。例えば、図５の画像データでは最多アスペクト比は１．００であるので、図１２のパターンの中では最も近いのは、Ｎｏ．５のアスペクト比０．６０であり、２ｘ２（９０度回転）の配置が算出される。
【０１５７】
第三の例として、表示画像データをマルチ画面に表示した際の黒帯の面積の総和が最も少ない配置パターンを選出する方法がある。例えば、図５のＮｏ．１の画像データの画素数は横１０２４画素、縦７２８画素を、図１２のＮｏ．１の４ｘ１の配置でのマルチ画面に表示する場合を考える。画像データを、アスペクト比を保持したまま、マルチ画面上において最大サイズで表示するために拡縮すると、横１６００画素、縦１２００画素となる。この場合、総画素数が水平６９６０画素、垂直１２００画素のマルチ画面で表示しようとすると、水平方向に５３６０画素（＝６９６０画素−１６００画素）の、画像データの不足が生じる。画像データを中央に表示する場合には、左右に夫々２６８０画素（＝５３６０画素／２）の黒帯が必要になる。従って、この例での黒帯の面積は、５３６０画素×１２００画素＝６４３２０００画素となる。
【０１５８】
一つの配置パターンについて、全画像データの黒帯面積を求めて総和を取ることで、各配置パターンでの黒帯面積の総和の比較が可能となる。このようにして、黒帯面積の総和が最小の配置パターンを選ぶことができる。本例では、黒帯面積の総和が最も少ないのは、Ｎｏ．２であり、２ｘ２の配置が算出される。また、本発明は、拡縮の方法に限定されない。例えば、拡大をしないドットバイドット方式であっても、画像データの不足している黒帯を計算できる。また、ドットバイドットの場合は、画像データのサイズがマルチ画面のサイズを越える場合があるが、その場合のみ縮小することで、若しくは、はみ出した部分の面積を黒帯の面積と合算することで、同様に配置パターンを算出できる。
【０１５９】
これら第一から第三の例を示したが、他の方法の算出方法も適用できる。即ち、画像データの形状情報と、表示するマルチ画面の形状情報を用いて、実際の画像データの表示サイズ（若しくは表示できない表示面積）を評価する方法であれば、本発明は同様に適用可能である。
【０１６０】
また、以上、マルチ画面が矩形になるケースを説明したが、本発明はこれに限定されない。図８（ａ）〜（ｊ）に示すような非矩形のパターンを予め、ＲＯＭ１１１０に格納しておことで、非矩形のパターンであっても本発明を適用することができる。非矩形の場合は、１つのパターンについて、適するアスペクト比が２通り得られる。例えば、図８（ａ）では、ＡＲ１＝１９２０／３６００＝０．５３、ＡＲ２＝３８４０／１２００＝３．２０の２つのアスペクト比が得られる。夫々のアスペクト比について、上述の算出方法を適用すれば、本発明を実施することができる。
【０１６１】
Ｓ２０３を次のように改変する。Ｓ２０３にて、制御部１１０９は、使用者に液晶プロジェクタの配置候補の選択肢を提示する。具体的には、制御部１１０９は、画像重畳部１１０２に指示を出し、例えば、図９（ａ）に示すメニューを表示させる。図９（ａ）は、実施例１では図７の配置パターンに対するメニューであったが、本実施例では図１２の配置パターンに対するメニューとするように変形することで、実施例１と同様に実施が可能となる。詳細な説明は省略する。
を推奨して使用者に提示してもよい。
【０１６２】
Ｓ２０４を次のように改変する。Ｓ２０４にて、制御部１１０９は、使用者がＳ２０３で選択した配置を、確認のため、使用者に提示する。具体的には、制御部１１０９は、画像重畳部１１０２に指示を出し、例えば、図９（ｂ）に示すメニューを表示させる。図９（ｂ）は、実施例１と同様であるために詳細な説明は省略する。
【０１６３】
Ｓ２０５は、実施例１と同様である。
【０１６４】
Ｓ２０６を次のように改変する。Ｓ２０６にて、制御部１１０９は、前述の表示すべき画像データに対し、マルチ表示を構築するように、各液晶プロジェクタ１０００ａ〜ｄが担当する部分を切り出し、無線通信部１１１３を介して液晶プロジェクタ１０００ａ〜ｄに送信し、表示指示を行なう。併せて自機が表示すべき部分については、制御部１１０９は画像入力部１１００に指示することで、表示を行なう。また、複数の画像データがある場合は、使用者により操作部１１１２による表示画像データの指定を受け、それに基づき、順次画像データを処理していく。また、このような画像データの処理が完了すると、処理はＳ３０４に遷移する。
【０１６５】
Ｓ３０４では、制御部１１０９は、各部の終了処理を行なう。具体的には、各部への電源供給を停止するように制御を行なう。その後、本フローは終了する。
【０１６６】
以上のようなシステムにより、メニュー９００により、液晶プロジェクタ１０００は使用者に対して、推奨の液晶プロジェクタの配置を提示することができる。この推奨配置は、Ｓ２０２の算出方法により決定しているため、実際の表示サイズが大きくなるような配置となっている。そのため、使用者は、画像データや表示装置の条件を検討し配置を決定するのではなく、提示された選択肢から配置を決定することでマルチ表示の設定を行なうことができる。それにより、使用者の負担は軽減される。
【０１６７】
請求項１記載のマルチ表示システムは、液晶プロジェクタ１０００ａ〜ｄから構成されるシステムに相当する。
【０１６８】
請求項１、５記載の表示装置は、液晶プロジェクタ１０００ａ〜ｄの夫々に相当する。
【０１６９】
請求項１、５記載の提示手段は、制御部１１０９及び液晶パネル１１０７の表示するメニュー９００に相当する。
【０１７０】
請求項１、５記載の表示指示手段は、制御部１１０９及び無線通信部１１１３に相当する。
【符号の説明】
【０１７１】
２００ａ  液晶ディスプレイａ
２００ｂ  液晶ディスプレイｂ
２００ｃ  液晶ディスプレイｃ
２００ｄ  液晶ディスプレイｄ
２０２  パーソナルコンピュータ
３１８  ＣＰＵ
３１５  ビデオコントローラ
９００  メニュー
３１７  ネットワークコントローラ１０００ａ  液晶プロジェクタａ
１０００ｂ  液晶プロジェクタｂ
１０００ｃ  液晶プロジェクタｃ
１０００ｄ  液晶プロジェクタｄ
１１０９  制御部
１１０７  液晶パネル
１１１３  無線通信部
【図１】
2019109268.tif 000003
【図２】
2019109268.tif 000004
【図３】
2019109268.tif 000005
【図４】
2019109268.tif 000006
【図５】
2019109268.tif 000007
【図６】
2019109268.tif 000008
【図７】
2019109268.tif 000009
【図８】
2019109268.tif 000010
【図９】
2019109268.tif 000011
【図１０】
2019109268.tif 000012
【図１１】
2019109268.tif 000013
【図１２】
2019109268.tif 000014